(57)【要約】【課題】  折り畳んだときと展開したときとで縦と横の比が同様とされる携帯情報機器を提供する。【解決手段】  ブロックＡ，Ｂ，Ｃの前面には、縦長の長方形状のディスプレイ１０ａ，１０ｂ，１０ｃがそれぞれ設けられている。ブロックＡ，Ｂ，Ｃの間はヒンジで結合されており、ブロックＡ，Ｂ，Ｃを折り畳んだり展開することができる。ブロックＡ，Ｂ，Ｃを回転させて展開した状態において、ブロックＡ，Ｂ，Ｃに設けられているディスプレイ１０ａ，１０ｂ，１０ｃがフラットに配列されて１つの画面を構成する。また、ブロックＡ，Ｂ，Ｃを回転させて折り畳んだ状態において、ブロックＡの大きさに折り畳むことができると共に、ブロックＡに設けられているディスプレイ１０ａがメイン画面となる。【選択図】  図５
2014103631.tif 000002
【特許請求の範囲】
【請求項１】
縦長の長方形状のディスプレイが前面に設けられたケースをそれぞれ備える３つのブロックから構成され、該３つのブロックを折り畳んだり展開することができる携帯情報機器であって、
前記３つのブロックは互いに回転可能にヒンジ部で結合されて、各ブロックの背面側の角部を回転中心として回転することができ、
前記３つのブロックを回転させて展開した状態において、前記各ブロックに設けられている前記ディスプレイがフラットに配列されて１つの画面を構成することができ、前記３つのブロックを回転させて折り畳んだ状態において、前記３つのブロックの内の一のブロックの大きさに折り畳むことができると共に、該一のブロックに設けられているディスプレイがメイン画面となることを特徴とする携帯情報機器。
【請求項２】
前記３つのブロックを折り畳んだ状態において、折り畳んだ状態の背面側に位置する他のブロックに設けられているディスプレイがサブ画面となることを特徴とする請求項１記載の携帯情報機器。
【請求項３】
前記３つのブロックにおいて、両脇の２つのブロック間に配置された中央ブロックの背面の一側に段部が形成されており、該一側とは反対側に隣接するブロックを前記中央ブロックに折り畳んだ際に、該隣接するブロックが前記段部で形成される前記中央ブロックの背面の空間に収納されることを特徴とする請求項１または２記載の携帯情報機器。
【請求項４】
前記３つのブロックにおいて、両脇の２つのブロック間に配置された中央ブロックの背面の一側に第１の段部が形成されていると共に、該一側に隣接するブロックの背面に、前記第１の段部に隣接して第２の段部が形成されており、前記一側とは反対側に隣接するブロックを前記中央ブロックに折り畳んだ際に、該反対側に隣接するブロックが前記第１の段部および前記第２の段部で形成される空間に収納できることを特徴とする請求項１または２記載の携帯情報機器。
【請求項５】
前記３つのブロックを展開した状態を保持する展開保持手段が、展開した際に互いに当接する前記３つのブロックの側面にそれぞれ設けられていることを特徴とする請求項１ないし４のいずれかに記載の携帯情報機器。
【請求項６】
前記展開保持手段は、展開した際に互いに当接する前記３つのブロックの側面にそれぞれ吸着するように設けられた磁石とされていることを特徴とする請求項５記載の携帯情報機器。
【請求項７】
前記３つのブロックを折り畳んだ状態を保持する折り畳み保持手段が、前記３つのブロックにそれぞれ設けられていることを特徴とする請求項１ないし６のいずれかに記載の携帯情報機器。
【請求項８】
前記折り畳み保持手段は、折り畳んだ際に互いに当接する前記３つのブロックの背面あるいは前面にそれぞれ吸着するように設けられた磁石とされていることを特徴とする請求項７記載の携帯情報機器。
【発明の詳細な説明】
【技術分野】
【０００１】
本発明は、ディスプレイを折り畳んで小型化することのできる携帯情報機器に関するものである。
【背景技術】
【０００２】
スマートフォンに代表される携帯情報機器は、携帯に便利なように小型であることが求められるが、一方、同一画面に多くの情報を表示させる時や、複数の者で同時に閲覧しようとする場合には大きい画面のディスプレイが必要とされる。このため、折り畳めるようにした２つのＬＣＤパネルを備える折り畳み式携帯端末機が提案されている（特許文献１参照）。この折り畳み式携帯端末機は、携帯時は２つのＬＣＤパネルを折り畳むとと共に数字キー等が設けられているキーパネルも折り畳むことにより、小型化することができる。また、使用時には２つのＬＣＤパネルとキーパネルとを展開して、２つのＬＣＤパネルからなる大きな画面を使用することができる。
【０００３】
しかし、上記した折り畳み式携帯端末機では折り畳んだ状態では使用することができず、使用時には折り畳んだ状態を展開する必要があった。そこで、表示部と数字キー等を備える筐体と、少なくとも２つの長方形状のフレキシブルディスプレイとを有し、少なくとも２つの長方形状のフレキシブルディスプレイを筐体に対して折り畳むようにした携帯型通信端末が提案されている（特許文献２，３参照）。この携帯型通信端末は、折り畳んで小型化した際においても、筐体に備えられているキーおよび表示部により使用状態とすることができる。また、２つの長方形状のフレキシブルディスプレイを筐体に対して展開することにより、大きな画面を使用することができる。
【先行技術文献】
【特許文献】
【０００４】
【特許文献１】特開２００２−２１８０３０号公報
【特許文献２】特開２００６−１７４５０６号公報
【特許文献３】特開２００６−２８７９８２号公報
【発明の概要】
【発明が解決しようとする課題】
【０００５】
ところで、スマートフォンやタブレット型端末などの表示部の形状は、概ね１対１．５〜１対１．７の長方形が多く採用されているが、その主な理由はアスペクト比が９対１６のテレビ画面をフルスクリーン表示する他に、表示効率や操作性を考慮した結果であると思われる。そこで、１対１．５〜１対１．７の長方形の表示部を有する２つのブロックの長辺を境界として折り畳める構造とした場合、折り畳み時の画面は長方形であるが展開したときは正方形に近くなって画面の形状に大きな差異が生じてしまう。よって、テレビ画面を視聴する時や表示内容の配置を変えずに拡大表示する場合には、表示部に非表示面積が増加して画面の利用効率や拡大率が低下するという問題点があった。
そこで、本発明は、折り畳んだときと展開したときとで縦と横の比が同様とされる携帯情報機器を提供することを目的としている。
【課題を解決するための手段】
【０００６】
本発明の携帯情報機器は、縦長の長方形状のディスプレイが前面に設けられたケースをそれぞれ備える３つのブロックから構成され、該３つのブロックを折り畳んだり展開することができる携帯情報機器であって、前記３つのブロックは互いに回転可能にヒンジ部で結合されて、各ブロックの背面側の角部を回転中心として回転することができ、前記３つのブロックを回転させて展開した状態において、前記各ブロックに設けられている前記ディスプレイがフラットに配列されて１つの画面を構成することができ、前記３つのブロックを回転させて折り畳んだ状態において、前記３つのブロックの内の一のブロックの大きさに折り畳むことができると共に、該一のブロックに設けられているディスプレイがメイン画面となることを最も主要な特徴としている。
【発明の効果】
【０００７】
本発明によれば、３つのブロックは互いに回転可能にヒンジ部で結合されて、各ブロックの背面側の角部を回転中心として回転することができ、３つのブロックを回転させて展開した状態において、各ブロックに設けられているディスプレイがフラットに配列されて１つの画面を構成することができる。また、３つのブロックを回転させて折り畳んだ状態において、３つのブロックの内の一のブロックの大きさに折り畳むことができると共に、該一のブロックに設けられているディスプレイがメイン画面となる。これにより、折り畳んだときと展開したときとで縦と横の比が同様とされる携帯情報機器とすることができる。
【図面の簡単な説明】
【０００８】
【図１】本発明の第１実施例の携帯情報機器の構成を示す正面図である。
【図２】本発明の第１実施例の携帯情報機器の構成を示す左側面図および右側面図である。
【図３】本発明の第１実施例の携帯情報機器の構成を示す上面図である。
【図４】本発明の第１実施例の携帯情報機器の構成を示す背面図である。
【図５】本発明の第１実施例の携帯情報機器の折り畳む構成を示す斜視図およびヒンジ部の構成を示す上面図である。
【図６】本発明の第１実施例の携帯情報機器の折り畳む構成を示す他の斜視図、上面図、背面図である。
【図７】本発明の第１実施例の携帯情報機器の折り畳む構成を示すさらに他の斜視図、上面図、背面図である。
【図８】本発明の第１実施例の携帯情報機器の折り畳んだ状態を示す斜視図である。
【図９】本発明の第１実施例の携帯情報機器の折り畳んだ他の状態を示す斜視図である。
【図１０】本発明の第１実施例の携帯情報機器におけるブロックＡの構成を示す正面側の斜視図、背面側の斜視図である。
【図１１】本発明の第１実施例の携帯情報機器におけるブロックＢの構成を示す正面側の斜視図、背面側の斜視図である。
【図１２】本発明の第１実施例の携帯情報機器におけるブロックＣの構成を示す正面側の斜視図、背面側の斜視図である。
【図１３】本発明の第２実施例の携帯情報機器の構成を示す正面図である。
【図１４】本発明の第３実施例の携帯情報機器の構成を示す斜視図である。
【図１５】本発明の第３実施例の携帯情報機器の構成を示す他の斜視図、Ａ部拡大図である。
【図１６】本発明の第３実施例の携帯情報機器の折り畳む構成を示す背面側の斜視図である。
【図１７】本発明の第３実施例の携帯情報機器の折り畳む構成を示す背面側の他の斜視図である。
【図１８】本発明の第１実施例の携帯情報機器の第１の変形例、第２の変形例、第３の変形例の構成を示す上面図である。
【発明を実施するための形態】
【０００９】
本発明の第１実施例の携帯情報機器１の構成を示す正面図を図１に、第１実施例の携帯情報機器１の構成を示す左側面図を図２（ａ）に、第１実施例の携帯情報機器１の構成を示す右側面図を図２（ｂ）に、第１実施例の携帯情報機器１の構成を示す上面図を図３に、第１実施例の携帯情報機器１の構成を示す背面図を図４に示す。
これらの図に示す第１実施例の携帯情報機器１は、ディスプレイ１０ａが前面に設けられたケースａからなるブロックＡと、ディスプレイ１０ｂが前面に設けられたケースｂからなるブロックＢと、ディスプレイ１０ｃが前面に設けられたケースｃからなるブロックＣとから構成されている。ケースａ、ケースｂ、ケースｃは厚みの薄い縦長の断面長方形の形状とされ、ケースｂはケースａの左側に配置され、ケースａとケースｂとは第１ヒンジ部１１により互いに回転可能に結合されており、ケースｃはケースｂの左側に配置され、ケースｂとケースｃとは第２ヒンジ部１２により互いに回転可能に結合されている。これにより、第１ヒンジ部１１によりケースａはケースｂに枢支され、第２ヒンジ部１２によりケースｃはケースｂに枢支されるので、第１ヒンジ部１２の作用により、ブロックＢはブロックＡに重なるように折り畳むことができると共に、第２ヒンジ部１２の作用により、ブロックＣはブロックＢに重なるように折り畳むことができる。
【００１０】
ここで、ブロックＡ、ブロックＢおよびブロックＣの詳細構成を図１０ないし図１２を参照して説明する。
図１０（ａ）はブロックＡの構成を示す正面側の斜視図であり、図１０（ｂ）はブロックＡの構成を示す背面側の斜視図である。これらの図に示すように、ブロックＡは厚みの薄い縦長の断面長方形の形状に成形された合成樹脂製のケースａを備えており、ケースａの内部は収納空間とされ、通信回路や表示回路等の各種電子回路の基板やアンテナ、マイク、スピーカ等の部品を収納することができる。ケースａの前面には縦長の長方形状とされたディスプレイ１０ａが設けられており、ディスプレイ１０ａの横幅はケースａの横幅とほぼ同じとされており、ディスプレイ１０ａの縦の長さはケースａの縦の長さより短くされて、ディスプレイ１０ａの上下にケースａが露出している。
【００１１】
また、ブロックＢと接するケースａの左側面の後側角部の上部と下部に貫通孔１６ａがほぼ中心に形成されている円筒状の所定長さのヒンジ１１ａが、それぞれ形成されている。そして、上部と下部に形成されたヒンジ１１ａに連続して、断面が円弧状の所定長さの凹部１７ａがそれぞれ形成されており、２つの凹部１７ａの間に切欠１４ａが形成されている。切欠１４ａの上端と凹部１７ａとの間、および、切欠１４ａの下端と凹部１７ａとの間の角部には、それぞれ面取り部１８ａが形成されている。凹部１７ａを形成する円弧の径は、ヒンジ１１ａの外径より若干大きい径とされている。また、切欠１４ａはケースａの左側面の中央部と、この左側面の中央部に連なる背面にかけて切り欠かれている。切欠１４ａの底面には、ケースａの内部に通じる長孔状の挿通孔１９ａが形成されている。挿通孔１９ａからは、ケースａの内部の電子回路から引き出されたフレキシブル基板等の配線手段が導出されて、ブロックＢに導入されケースｂに収納されている電子回路に接続される。
【００１２】
図１１（ａ）はブロックＢの構成を示す正面側の斜視図であり、図１１（ｂ）はブロックＢの構成を示す背面側の斜視図である。これらの図に示すように、ブロックＢは厚みの薄い縦長の断面長方形の形状に成形された合成樹脂製のケースｂを備えており、ケースｂの内部は収納空間とされ、通信回路や表示回路等の各種電子回路の基板やアンテナ、マイク、スピーカ等の部品を収納することができる。ケースｂの前面には縦長の長方形状とされたディスプレイ１０ｂが設けられており、ディスプレイ１０ｂの横幅はケースｂの横幅とほぼ同じとされており、ディスプレイ１０ｂの縦の長さはケースｂの縦の長さより短くされて、ディスプレイ１０ｂの上下にケースｂが露出している。なお、ディスプレイ１０ｂの大きさはディスプレイａの大きさとほぼ同じとされている。
【００１３】
また、ケースｂの右側の厚みは左側の厚みより厚くなるように、右側の背面から突出する段部１３が設けられている。そして、ブロックＡと接するケースｂの右側面の段部１３の後側角部の上部と下部に断面が円弧状の凹部１７ｂ１が、それぞれ形成されている。そして、上部と下部に形成された所定長さの凹部１７ｂ１に連続して、貫通孔１６ｂ１がほぼ中心に形成されている円筒状の所定長さのヒンジ１１ｂ１がそれぞれ形成されており、２つのヒンジ１１ｂ１の間に切欠１４ｂ１が形成されている。切欠１４ｂ１の上端とヒンジ１１ｂ１との間、および、切欠１４ｂ１の下端とヒンジ１１ｂ１との間の角部には、それぞれ図示されていない面取り部が形成されている。凹部１７ｂ１を形成する円弧の径は、ヒンジ１１ｂ１の外径より若干大きい径とされている。また、切欠１４ｂ１はケースｂの右側面の中央部と、この右側面の中央部に連なる背面にかけて切り欠かれている。切欠１４ｂ１の底面には、ケースｂの内部に通じる長孔状の挿通孔１９ｂ１が形成されている。挿通孔１９ｂ１からは、ケースｂの内部の電子回路から引き出されたフレキシブル基板等の配線手段が導出されて、ブロックＡに導入されケースａに収納されている電子回路に接続される。
【００１４】
また、ブロックＣと接するケースｂの厚みが薄くされた左側面の後側角部の上部と下部に断面が円弧状の凹部１７ｂ２が、それぞれ形成されている。そして、上部と下部に形成された所定長さの凹部１７ｂ２に連続して、貫通孔１６ｂ２がほぼ中心に形成されている円筒状の所定長さのヒンジ１１ｂ２がそれぞれ形成されており、２つのヒンジ１１ｂ２の間に切欠１４ｂ２が形成されている。切欠１４ｂ２の上端とヒンジ１１ｂ２との間、および、切欠１４ｂ２の下端とヒンジ１１ｂ２との間の角部には、それぞれ面取り部１８ｂ２が形成されている。凹部１７ｂ２を形成する円弧の径は、ヒンジ１１ｂ２の外径より若干大きい径とされている。また、切欠１４ｂ２はケースｂの左側面の中央部と、この左側面の中央部に連なる背面にかけて切り欠かれている。切欠１４ｂ２の底面には、ケースｂの内部に通じる長孔状の挿通孔１９ｂ２が形成されている。挿通孔１９ｂ２からは、ケースｂの内部の電子回路から引き出されたフレキシブル基板等の配線手段が導出されて、ブロックＣに導入されケースｃに収納されている電子回路に接続される。
【００１５】
図１２（ａ）はブロックＣの構成を示す正面側の斜視図であり、図１２（ｂ）はブロックＣの構成を示す背面側の斜視図である。これらの図に示すように、ブロックＣは厚みの薄い縦長の断面長方形の形状に成形された合成樹脂製のケースｃを備えており、ケースｃの内部は収納空間とされ、通信回路や表示回路等の各種電子回路の基板やアンテナ、マイク、スピーカ等の部品を収納することができる。ケースｃの前面には縦長の長方形状とされたディスプレイ１０ｃが設けられており、ディスプレイ１０ｃの横幅はケースｃの横幅とほぼ同じとされており、ディスプレイ１０ｃの縦の長さはケースｃの縦の長さより短くされて、ディスプレイ１０ｃの上下にケースｃが露出している。なお、ディスプレイ１０ｃの横幅はディスプレイｂより若干短くされているが、縦の長さは同様とされている。
【００１６】
また、ブロックＢと接するケースｃの右側面の後側角部の上部と下部に貫通孔１６ｃがほぼ中心に形成されている円筒状の所定長さのヒンジ１１ｃが、それぞれ形成されている。そして、上部と下部に形成されたヒンジ１１ｃに連続して、断面が円弧状の所定長さの凹部１７ｃがそれぞれ形成されており、２つの凹部１７ｃの間に切欠１４ｃが形成されている。切欠１４ｃの上端と凹部１７ｃとの間、および、切欠１４ｃの下端と凹部１７ｃとの間の角部には、それぞれ図示しない面取り部が形成されている。凹部１７ｃを形成する円弧の径は、ヒンジ１１ｃの外径より若干大きい径とされている。また、切欠１４ｃはケースｃの右側面の中央部と、この右側面の中央部に連なる背面にかけて切り欠かれている。切欠１４ｃの底面には、ケースｃの内部に通じる長孔状の挿通孔１９ｃが形成されている。挿通孔１９ｃからは、ケースｃの内部の電子回路から引き出されたフレキシブル基板等の配線手段が導出されて、ブロックＢに導入されケースｂに収納されている電子回路に接続される。
【００１７】
ブロックＡ、ブロックＢおよびブロックＣにおいて、ヒンジ１１ａ、ヒンジ１１ｂ１，１１ｂ２、ヒンジ１１ｃの外径は同様とされ、凹部１７ａ、凹部１７ｂ１，１７ｂ２、凹部１７ｃの円弧状の径も同様とされている。そして、ブロックＡの上下２つのヒンジ１１ａを、ブロックＢの上下２つの凹部１７ｂ１に当接し、ヒンジ１１ａの端と向かいあうヒンジ１１ｂ１の端との間に中央に貫通孔が形成された円板状のワッシャー１２ａを介在させる。次いで、ヒンジ１１ａの貫通孔１６ａに細長い棒状の軸金具を嵌入し、この軸金具をワッシャー１２ａの貫通孔およびヒンジ１１ｂ１の貫通孔１６ｂ１にも嵌入させる。これにより、ヒンジ１１ａ、ワッシャー１２ａ、ヒンジ１１ｂ１および軸金具により第１ヒンジ部１１が構成され、上下２つの第１ヒンジ部１１により、ブロックＡとブロックＢとは回動可能に支持される。なお、切欠１４ａおよび切欠１４ｂ１により形成される空間には、フレキシブル基板等の柔軟な素材からなる配線手段１５ａが配置される。配線手段１５ａは、ケースａに収納されている電子回路とケースｂに収納されている電子回路とを接続している。
【００１８】
また、ブロックＣの上下２つのヒンジ１１ｃを、ブロックＢの上下２つの凹部１７ｂ２に当接し、ヒンジ１１ｃの端と向かいあうヒンジ１１ｂ２の端との間に中央に貫通孔が形成された円板状のワッシャー１２ｂを介在させる。次いで、ヒンジ１１ｃの貫通孔１６ｃに細長い棒状の軸金具を嵌入し、この軸金具をワッシャー１２ｂの貫通孔およびヒンジ１１ｂ２の貫通孔１６ｂ２にも嵌入させる。これにより、ヒンジ１１ｃ、ワッシャー１２ｂ、ヒンジ１１ｂ２および軸金具により第２ヒンジ部１２が構成され、上下２つの第２ヒンジ部１２により、ブロックＡとブロックＢとは回動可能に支持される。なお、切欠１４ｂ２および切欠１４ｃにより形成される空間には、フレキシブル基板等の柔軟な素材からなる配線手段１５ｂが配置される。配線手段１５ｂは、ケースｃに収納されている電子回路とケースｂに収納されている電子回路とを接続している。
【００１９】
上記したように、本発明に係る携帯情報機器１は、ブロックＡ、ブロックＢとブロックＣが回動可能に支持された構成とされており、折り畳むことができると共に折り畳み状態から展開することができる。図１ないし図４に示す本発明にかかる携帯情報機器１は展開状態とされており、縦の長さが同様とされたディスプレイ１０ａ、ディスプレイ１０ｂとディスプレイ１０ｃとがほぼ隙間なく配列されて、大きなフラットの一つの表示画面を形成している。ディスプレイ１０ａないしディスプレイ１０ｃの縦横の比が１対１．５〜１．７とされていることから、ディスプレイ１０ａないしディスプレイ１０ｃからなる大きな表示画面の縦横の比は、概ね３対１．５〜１．７となり、アスペクト比が９対１６のテレビ画面のフルスクリーン表示に適した表示画面となる。また、テレビ画面の試聴に限らず各種ＵＩ（User Interface）画面を拡大表示して、ＵＩ画面を使用した操作を容易に行うことができるようになる。
【００２０】
次に、本発明の第１実施例の携帯情報機器１を折り畳む態様を図５ないし図９を参照して説明する。
図５（ａ）は、本発明にかかる携帯情報機器１を展開状態からブロックＣを折り畳む態様を示す斜視図であり、図５（ｂ）は第２ヒンジ部１２の構成を示す上面図である。これらの図に示すように、第２ヒンジ部１２を回転中心としてブロックＣを時計方向に回転させていく。この第２ヒンジ部１２は、図５（ｂ）に示すようにケースｂの左後側の角であって、ケースｃの右後側の角部に配置され、ここがほぼ回転中心とされている。なお、ブロックＡの幅をＷａとし、その厚さをｄ１とすると、ブロックＢの幅Ｗｂは幅Ｗａとほぼ等しくされ、ブロックＣの幅Ｗｃは幅Ｗａより段部１３の幅だけ短くされている。また、ブロックＢの厚さｄ２とブロックＣの厚さｄ３とはほぼ同じ厚さとされ、厚さｄ３に段部１３の高さｓ１を加えた長さは、厚さｄ１にほぼ等しくされている。さらに、ブロックＡないしブロックＣの縦の長さは同様とされ、長さＬとされている。
図５（ｂ）には第２ヒンジ部１２の構成が示されているが、第１ヒンジ部１１の構成も図５（ｂ）に示す第２ヒンジ部１２の構成と同様とされている。
【００２１】
本発明にかかる携帯情報機器１を展開状態からブロックＣを折り畳んだ状態を示す斜視図を図６（ａ）に示し、その上面図を図６（ｂ）に、その背面図を図６（ｃ）に示している。
これらの図に示すように、ブロックＣはブロックＢに対して約１８０°回転されてブロックＢの背面にブロックＣの背面が当接するようになり、ブロックＣは段部１３で形成されたブロックＢの背面の空間に収納されて、段部１３の外面とブロックＣのディスプレイ１０ｃが設けられている前面とは、ほぼ同一の面となる。なお、配線手段１５ｂは柔軟な素材からなることから、切欠１４ｃと切欠１４ｂ２とで形成される空間内において折り曲げられて収納されるようになる。
【００２２】
図６（ａ）の矢印で示すように、本発明にかかる携帯情報機器１においてブロックＣを折り畳んだ状態からブロックＢを折り畳むようにする。ブロックＢを折り畳んだ状態を示す正面側の斜視図を図７（ａ）に示し、その上面図を図７（ｂ）に、その背面図を図７（ｃ）に示し、その背面側の斜視図を図８に示す。また、ブロックＢを折り畳む中途の状態（折り畳んだ状態から若干ブロックＢを展開した状態）を示す背面側の斜視図を図９に示す。
これらの図に示すように、ブロックＣが折り畳まれたブロックＢは、ブロックＡに対して約１８０°回転されてブロックＡの背面に、隙間が生じることなくブロックＣのディスプレイ１０ｃが設けられている面が当接するようになる。この折り畳んだ状態においては、ブロックＡのディスプレイ１０ａがメイン画面として使用されると共に、ディスプレイ１０ｂがサブ画面として使用されて、テレビ画面の試聴や各種ＵＩ画面を使用した操作を行うことができるようになる。また、折り畳んだ状態の背面となるブロックＢのディスプレイ１０ｂをサブ画面として各種の表示を行うようにすることもできる。この場合、ディスプレイ１０ａおよびディスプレイ１０ｂの縦横の比が１対１．５〜１．７とされていることから、横置きにした際にアスペクト比が９対１６のテレビ画面のフルスクリーン表示に適した表示画面となる。なお、配線手段１５ａは柔軟な素材からなることから、切欠１４ａと切欠１４ｂ１とで形成される空間内において折り曲げられて収納されるようになる。
【００２３】
上記説明したように、ブロックＣを折り畳む際や、ブロックＢを折り畳む際には図５（ｂ）に示すようにブロックＡないしブロックＣの角部が回転中心となって、接触しながら回動していくことになる。このことから、これらの角部に面取り部１８ａ、面取り部１８ｂ１，１８ｂ２、面取り部１８ｃを設けるようにして角部同士が接触することなくスムースに回動できるようにしている。
また、図示していないが切欠１４ａ、１４ｂ１，１４ｂ２，１４ｃを覆うように、断面がＬ字状とされた蓋をそれぞれ嵌合することにより、切欠１４ａ、１４ｂ１，１４ｂ２，１４ｃを隠すようにしている。この場合、断面Ｌ字状の蓋に替えてシールを背面および側面に形成された切欠１４ａ、１４ｂ１，１４ｂ２，１４ｃを隠すように貼っても良い。
本発明の第１実施例の携帯情報機器１は、図７に示すような折り畳み状態においてはディスプレイ１０ａをメイン画面としてスマートフォンと同様に使用することができ、図１に示すような展開状態では、ディスプレイ１０ａ〜１０ｃで形成される大きなフラットの画面を用いてタブレット端末と同様に使用することができる。なお、ブロックＡとブロックＢの実装部品を入れ替えることにより、ブロックＢのディスプレイ１０ｂをメイン画面としても良い。
【００２４】
次に、本発明の第２実施例の携帯情報機器２の構成を示す正面図を図１３に示す。第２実施例の携帯情報機器２では、第１実施例の携帯情報機器１と同様の構成とされたブロックＡとブロックＢとブロックＣとから構成されており、ブロックＡのケースａには、ディスプレイ１０ａの上部に通話用のスピーカの音を放音するＳＰ穴２１が形成されており、下部にマイクが音を集音するためのＭＩＣ穴２２が形成されている。また、ブロックＢのケースｂには、ディスプレイ１０ｂの上部の右側にカメラ２５が内蔵され、左側にはカメラ２５で撮影する際等に照明用として使用できるＬＥＤ２４が設けられている。さらに、ブロックＢのディスプレイ１０ｂの下側にはテレビ視聴の際等に外部にスピーカの音を放音するためのＳＰ穴２３が形成されている。
第２実施例の携帯情報機器２における他の構成は、第１実施例の携帯情報機器１と同様とされているので、その説明は省略するが、折り畳み状態においてはディスプレイ１０ａをメイン画面としてスマートフォンと同様に使用することができ、展開状態では、ディスプレイ１０ａ〜１０ｃで形成される大きなフラットの画面を用いてタブレット端末と同様に使用することができる。
【００２５】
次に、本発明の第３実施例の携帯情報機器３の構成を図１４ないし図１７に示す。図１４は折り畳んだ状態から若干ブロックＢを展開した状態を示す正面側の斜視図であり、図１５（ａ）は展開した状態からブロックＣを若干折り畳んだ状態を示す正面側の斜視図、図１５（ｂ）はその一部拡大図であり、図１６は展開した状態からブロックＣを若干折り畳んだ状態を示す背面側の斜視図であり、図１７は折り畳んだ状態から若干ブロックＢを展開した状態を示す背面側の斜視図である。
第３実施例の携帯情報機器３では、第１実施例の携帯情報機器１と同様の構成とされたブロックＡとブロックＢとブロックＣとから構成されており、ブロックＡないしブロックＣを展開したときには展開状態を確実に保持できると共に、折り畳んだときには折り畳んだ状態を確実に保持できる構成とされている。
【００２６】
第３実施例の携帯情報機器３は、図１４に示すようにケースａの左側面の上下に一対の磁石３１ａが設けられており、ケースｂの右側面の上下に磁石３１ａに吸着可能な一対の磁石３１ｂ１が設けられている。また、図１５（ａ）（ｂ）に示すようにケースｂの左側面の上下に一対の磁石３１ｂ２が設けられており、ケースｃの右側面の上下に磁石３１ｂ２に吸着可能な一対の磁石３１ｃが設けられている。これにより、ブロックＡとブロックＢとを展開したときには、一対の磁石３１ａに一対の磁石３１ｂ１が吸着して、その展開状態を確実に保持できるようになる。また、ブロックＢとブロックＣとを展開したときには、一対の磁石３１ｂ２に一対の磁石３１ｃが吸着して、その展開状態を確実に保持できるようになる。従って、図１に示す展開状態を確実に保持できるようになる。
【００２７】
また、第３実施例の携帯情報機器３は、図１６に示すようにケースａの背面の右側の上下に一対の磁石３２ａが設けられており、ケースｂの背面の右側の上下に一対の磁石３２ｂが設けられており、ケースｃの背面の左側の上下に磁石３２ｂに吸着可能な一対の磁石３２ｃが設けられている。また、図１７に示すようにケースｃの正面の右側の上下に磁石３２ａに吸着可能な一対の磁石３３ｃが設けられている。これにより、ブロックＣをブロックＢに折り畳んだときには、一対の磁石３２ｂに一対の磁石３２ｃが吸着して、その折り畳み状態を確実に保持できるようになる。また、ブロックＣをブロックＢに折り畳んだ状態のブロックＢをブロックＡに折り畳んだときには、一対の磁石３２ａに一対の磁石３３ｃが吸着して、その折り畳み状態を確実に保持できるようになる。従って、図７に示す折り畳み状態を確実に保持できるようになる。
第３実施例の携帯情報機器３における他の構成は、第１実施例の携帯情報機器１と同様とされているので、その説明は省略するが、折り畳み状態においてはディスプレイ１０ａをメイン画面としてスマートフォンと同様に使用することができ、展開状態では、ディスプレイ１０ａ〜１０ｃで形成される大きなフラットの画面を用いてタブレット端末と同様に使用することができる。
【００２８】
次に、図１８（ａ）（ｂ）（ｃ）に本発明の第１実施例の携帯情報機器１の変形例の構成を示す。
図１８（ａ）は第１変形例の携帯情報機器４の展開状態の構成を示す上面図であり、ブロックＣの厚さがｄ１１と第１実施例の携帯情報機器１のブロックＣの厚さ３より厚くされている。そして、ブロックＡの背面に高さｈ１２とされた段部４１が形成されていると共に、ブロックＢの背面に高さｈ１１とされた段部１３が形成されている。この場合、厚さｄ１１は段部１３の高さｈ１１と段部４１の高さｈ１２との和にほぼ等しくされている。これにより、ブロックＡないしブロックＣを折り畳んだときには、ブロックＣがブロックＢの段部１３とブロックＡの段部４１との間に形成された空間に収納されて折り畳まれるようになる。
【００２９】
図１８（ｂ）は第２変形例の携帯情報機器５の展開状態の構成を示す上面図であり、ブロックＣの厚さがｄ２１とされている。そして、ブロックＡの背面に高さｈ２１とされた段部５１が形成されていると共に、段部５１に続く背面は所定角度の傾斜部５２とされている。また、ブロックＢの背面に傾斜部５２と同じ角度の傾斜部５３が形成されている。この場合、厚さｄ２１は段部５１の高さｈ２１にほぼ等しくされている。これにより、ブロックＡないしブロックＣを折り畳んだときには、ブロックＣがブロックＡの段部５１により形成される空間に収納されて折り畳まれるようになる。
図１８（ｃ）は第１変形例の携帯情報機器４の変形例とされた第３変形例の携帯情報機器６の展開状態の構成を示す上面図であり、ブロックＣの背面のほぼ中央に長軸方向に断面形状が半円状の凸部６１が形成されている。また、ブロックＢの背面のほぼ中央に凸部６１が嵌合可能な断面形状が半円状の凹溝６２が形成されている。他の構成は第１変形例の携帯情報機器４と同様とされている。これにより、ブロックＡないしブロックＣを折り畳んだときには、ブロックＣに設けられた凸部６１がブロックＢに設けられた凹溝６２に嵌合すると共に、ブロックＣがブロックＢの段部１３とブロックＡの段部４１との間に形成される空間に収納されて折り畳まれるようになる。
上記した第１変形例の携帯情報機器４ないし第３変形例の携帯情報機器６において、上記説明した以外のブロックＡないしブロックＣの構成は第１実施例の携帯情報機器１と同様とされているので、その説明は省略する。
【産業上の利用可能性】
【００３０】
上記説明した本発明の各実施例の携帯情報機器においては、展開した状態においてはディスプレイ１０ａないしディスプレイ１０ｃが一面内においてフラットに連結されるようになる。また、本発明にかかる携帯情報機器において、吸着できるように設けられた磁石のうち一側を強磁性体の板としてもよい。また、一対の磁石を設けるようにしたが磁石の数は１つでも３つ以上としても良い。さらに、ＳＰ穴やＭＩＣ穴、カメラ、ＬＥＤの配置は一例であって、これに限るものではない。
また、上記説明した本発明の各実施例の携帯情報機器においては、ブロックＡとブロックＢとは配線手段１５ａを介して表示データや各種情報の交換をすることができ、ブロックＢとブロックＣとは配線手段１５ｂを介して表示データや各種情報の交換をすることができ、ブロックＡとブロックＣとは配線手段１５ａ，１５ｂを介して表示データや各種情報の交換をすることができる。
なお、ディスプレイ１０ａないしディスプレイ１０ｃをフラットに連結するには、ブロックＡないしブロックＣの各ディスプレイが同一面上に並ぶように展開させる必要がある。このことから、各ブロックＡ〜Ｃの境界部は平坦で強固に固定させるように、各ブロックＡ〜Ｃを連結しているヒンジ部の駆動にはトルクを持たせて開閉状態を維持できるようにしている。また、展開状態を保持する構成と折り畳み状態を保持する構成として磁石を用いるようにしたが、磁石に限ることはなく係合片と、係合片が係合される係合部からなる一般的なロック機構を設けるようにしても良い。さらに、折り畳んだ状態ではユーザが握った時のフィット感が重要になることから、ヒンジ部を小型化して各ブロックＡ〜Ｃ本体からの突起寸法を出来るだけ小さくしても良い。
【符号の説明】
【００３１】
１，２，３，４，５，６  携帯情報機器、１０ａ，１０ｂ，１０ｃ  ディスプレイ、１１  第１ヒンジ部、１１ａ，１１ｂ１，１１ｂ２，１１ｃ  ヒンジ、１２  第２ヒンジ部、１２ａ，１２ｂ  ワッシャー、１３  段部、１４ａ，１４ｂ１，１４ｂ２，１４ｃ  切欠、１５ａ，１５ｂ  配線手段、１６ａ，１６ｂ，１６ｃ  貫通孔、１７ａ，１７ｂ１，１７ｂ２，１７ｃ  凹部、１８ａ，１８ｂ１，１８ｂ２，１８ｃ  面取り部、１９ａ，１９ｂ１，１９ｂ２，１９ｃ  挿通孔、２１  ＳＰ穴、２２  ＭＩＣ穴、２３  ＳＰ穴、２４  ＬＥＤ、２５  カメラ、３１ａ，３１ｂ，３１ｃ，３２ａ，３２ｂ，３２ｃ，３３ｃ  磁石、４１，５１  段部、５２，５３  傾斜部、６１  凸部、６２  凹溝、Ａ，Ｂ，Ｃ  ブロック
【図１】
2014103631.tif 000003
【図２】
2014103631.tif 000004
【図３】
2014103631.tif 000005
【図４】
2014103631.tif 000006
【図５】
2014103631.tif 000007
【図６】
2014103631.tif 000008
【図７】
2014103631.tif 000009
【図８】
2014103631.tif 000010
【図９】
2014103631.tif 000011
【図１０】
2014103631.tif 000012
【図１１】
2014103631.tif 000013
【図１２】
2014103631.tif 000014
【図１３】
2014103631.tif 000015
【図１４】
2014103631.tif 000016
【図１５】
2014103631.tif 000017
【図１６】
2014103631.tif 000018
【図１７】
2014103631.tif 000019
【図１８】
2014103631.tif 000020